(57)【特許請求の範囲】
【請求項１】
光学系を介して得られる被写体の画像を撮像して撮像結果を出力する撮像素子と、
上記撮像結果を上記画像の画像データに変換する画像データ処理回路と、
複数枚分の上記画像データを蓄積する容量を有し、当該画像データを順次取り込んで一時格納するバツフアメモリと、
外部操作に応じて指定された動作モードに対応して、上記バツフアメモリを用いた上記画像データの出力形式を選択する選択手段と、
上記選択手段により第１の出力形式が選択された場合には、上記バツフアメモリに蓄積された上記画像データを順次読み出してそのまま出力する一方、上記選択手段により第２の出力形式が選択された場合には、上記バツフアメモリに上記画像データを順次取り込む間に、当該バツフアメモリから以前に蓄積された上記画像データを順次読み出して圧縮を含む処理を行つた後に出力する画像処理回路と
を具えることを特徴とする電子スチルカメラ。
【請求項２】
外部機器との間で上記画像データを入出力するためのインターフエース
を具え、
上記画像処理回路は、
上記第２の出力形式が選択された際、上記外部機器への上記画像データの記録が完了するタイミングで、上記バツフアメモリから次の上記画像データを読み出して上記圧縮を含む処理を行う
ことを特徴とする請求項１に記載の電子スチルカメラ。
【請求項３】
被写体の画像を撮像して得られる撮像結果を画像データに変換する第１のステツプと、
上記画像データを順次取り込んでバツフアメモリに一時格納する第２のステツプと、
外部操作に応じて指定された動作モードに対応して、上記バツフアメモリを用いた上記画像データの出力形式を選択する第３のステツプと、
第１の出力形式が選択された場合には、上記バツフアメモリに蓄積された上記画像データを順次読み出してそのまま出力する一方、第２の出力形式が選択された場合には、上記バツフアメモリに上記画像データを順次取り込む間に、当該バツフアメモリから以前に蓄積された上記画像データを順次読み出して圧縮を含む処理を行つた後に出力する第４のステツプと
を具えることを特徴とする画像データ処理方法。
【請求項４】
上記第２の出力形式が選択された際、上記外部機器への上記画像データの記録が完了するタイミングで、上記バツフアメモリから次の上記画像データを読み出して上記圧縮を含む処理を行う第５のステツプ
を具えることを特徴とする請求項３に記載の画像データ処理方法。
【発明の詳細な説明】
【０００１】
【目次】
以下の順序で本発明を説明する。
産業上の利用分野
従来の技術
発明が解決しようとする課題
課題を解決するための手段（図２及び図３）
作用（図２及び図３）
実施例
（１）実施例の構成（図１〜図３）
（２）実施例の効果
（３）他の実施例
発明の効果
【０００２】
【産業上の利用分野】
本発明は電子スチルカメラ及び画像データ処理方法に関し、特に容量の大きな記憶手段に撮像結果を保持する場合に適用して好適なものである。
【０００３】
【従来の技術】
従来、この種の電子スチルカメラにおいては、固体撮像素子を介して所望の被写体を撮像し、その撮像結果をメモリ等の記録手段に電気的に記録するようになされ、これにより必要に応じてモニタ装置等を接続して撮像結果を自由にモニタし得るようになされている。
【０００４】
【発明が解決しようとする課題】
ところでこの種の記録手段として、光磁気デイスク等の記録媒体を適用すれば、大量の画像を記録することができ、この種の電子スチルカメラの使い勝手を向上し得ると考えられる。
【０００５】
またこの記録手段としてＩＣカード構成のフラツシユメモリ（ＦＥ2 ＰＲＯＭ）を適用すれば、同様に大量の画像を記録し得、またバツクアツプ用の電源も不要なことにより、必要に応じて簡易にこのＩＣカードを交換して使用し得、この種の電子スチルカメラの使い勝手を向上し得る。
【０００６】
すなわちこの種の画像データは、ほぼ１〔ＭＢ〕〜数〔ＭＢ〕で１枚の画像を形成するのに対し、オーデイオ信号を記録再生し得るようになされた直径2.5 インチの光磁気デイスクは、113 〔ＭＢ〕のデータ量を記録し得、またＩＣカード構成のフラツシユメモリにおいては、20〔ＭＢ〕のデータ量を記録することができる。
【０００７】
ところがこの種の大容量の記録媒体においては、記録に要する時間が長い特徴があり、このため電子スチルカメラにおいては、この種の記録媒体を適用すると、連続して被写体を撮影するいわゆる連写が困難になる問題がある。
すなわちこの種の光磁気デイスクにおいては、１〔ＭＢ〕のデータ量を記録するのに約6.8 秒の時間を要し、フラツシユメモリにおいては、１〔ＭＢ〕のデータ量を記録するのに約1.5 秒の時間を要する。
【０００８】
この問題を解決する１つの方法としてＩＣカード構成のＳＲＡＭ、又はハードデイスク装置を使用することが考えられる。
すなわちこのＳＲＡＭにおいては、記録に要する時間が短い特徴があり、１〔ＭＢ〕のデータ量を約0.25秒で記録することができる。
【０００９】
ところがこのＳＲＡＭにおいては、バツクアツプ電源が必要なことにより、ＩＣカードで構成して全体の構成が煩雑になる問題がある。
またＳＲＡＭにおいては、現在８〔ＭＢ〕程度のデータ量しか記録し得ず、光磁気デイスク、フラツシユメモリに比してデータ量が少ない問題もある。
【００１０】
これに対してハードデイスク装置の場合、信頼性の点で光磁気デイスク、フラツシユメモリに劣る特徴がある。
【００１１】
本発明は以上の点を考慮してなされたもので、大容量の記録手段を接続して連写することができる電子スチルカメラ及び画像データ処理方法を提案しようとするものである。
【００１２】
【課題を解決するための手段】
かかる課題を解決するため本発明においては、光学系４を介して得られる被写体の画像を撮像して撮像結果を出力する撮像素子２０と、撮像結果を画像の画像データＲＡＷに変換する画像データ処理回路２２と、複数枚分の画像データＲＡＷを蓄積する容量を有し、当該画像データＲＡＷを順次取り込んで一時格納するバツフアメモリ４０と、外部操作に応じて指定された動作モードに対応して、バツフアメモリ４０を用いた画像データＲＡＷの出力形式を選択する選択手段と、選択手段により第１の出力形式が選択された場合には、バツフアメモリ４０に蓄積された画像データＲＡＷを順次読み出してそのまま出力する一方、選択手段により第２の出力形式が選択された場合には、バツフアメモリ４０に画像データＲＡＷを順次取り込む間に、当該バツフアメモリ４０から以前に蓄積された画像データＲＡＷを順次読み出して圧縮を含む処理を行つた後に出力する画像処理回路２８〜２４とを設けるようにした。
【００１３】
さらに第２の発明において、被写体の画像を撮像して得られる撮像結果を画像データＲＡＷに変換する第１のステツプと、画像データＲＡＷを順次取り込んでバツフアメモリ４０に一時格納する第２のステツプと、外部操作に応じて指定された動作モードに対応して、バツフアメモリ４０を用いた画像データＲＡＷの出力形式を選択する第３のステツプと、第１の出力形式が選択された場合には、バツフアメモリ４０に蓄積された画像データＲＡＷを順次読み出してそのまま出力する一方、第２の出力形式が選択された場合には、バツフアメモリ４０に画像データＲＡＷを順次取り込む間に、当該バツフアメモリ４０から以前に蓄積された画像データＲＡＷを順次読み出して圧縮を含む処理を行つた後に出力する第４のステツプとを設けるようにした。
【００１４】
【作用】
ユーザが所望する動作モードに応じて、バツフアメモリ４０に蓄積された画像データＲＡＷを順次読み出してそのまま出力するか、又はバツフアメモリ４０に画像データＲＡＷを順次取り込む間に、当該バツフアメモリ４０から以前に蓄積された画像データＲＡＷを順次読み出して圧縮を含む処理を行つた後に出力するかを選択することができ、この結果、圧縮処理をする場合には当該圧縮処理に要する時間を効率良く解消しながら多くの枚数の画像を連写することができる。
【００１６】
【実施例】
以下図面について、本発明の一実施例を詳述する。
【００１７】
（１）実施例の構成
図１において、１は全体として電子スチルカメラシステムを示し、電子スチルカメラ２で撮影した画像を処理する。
すなわち電子スチルカメラ２は、カメラ本体３に交換可能にレンズ４を装着し得るようになされ、このレンズ４を介して所望の被写体を撮影し得るようになされている。
【００１８】
さらにこの電子スチルカメラ２は、カメラ本体３に駆動用バツテリ５を接続してこのバツテリ５の電源で駆動するようになされ、所定のアダプタ６を介してコンポジツトビデオ信号ＳＶの形式で、さらにコンポーネントビデオ信号ＳＶの形式で、撮影結果をモニタ装置７に出力し得るようになされている。
さらに電子スチルカメラ２は、所定の接続アダプタ８を接続して撮影結果をコンピユータ９に出力し得るようになされ、これによりこのコンピユータ９で撮影結果を画像処理し得るようになされている。
【００１９】
さらに電子スチルカメラ２は、ＩＣカード構成のフラツシユメモリで形成されたメモリカード１０又はハードデイスク装置（ＨＤＤ）１１を選択的に接続し得るようになされ、これにより撮影結果をメモリカード１０又はハードデイスクに記録し得るようになされ、さらに光磁気デイスク装置１２に接続して光磁気デイスク１３に撮影結果を記録し得るようになされている。
【００２０】
図２に示すように、電子スチルカメラ２は、レンズ４を介して得られる被写体の画像をＣＣＤ固体撮像素子（ＣＣＤ）２０で撮像し、その結果得られる撮像信号をサンプルホールド（Ｓ／Ｈ）及びＡＧＣ回路２１に出力する。
これにより電子スチルカメラ２は、相関２重サンプリングの手法を適用して撮像信号から赤色、青色、緑色の色信号Ｒ、Ｇ、Ｂを生成した後、この色信号Ｒ、Ｇ、Ｂの信号レベルを補正する。
【００２１】
アナログデイジタル変換回路（Ａ／Ｄ）２２は、この色信号Ｒ、Ｇ、Ｂをデイジタル信号に変換して出力し、これにより画像データを生成して出力し、プロセス回路２３は、この画像データを入力してガンマ補正、ホワイトクリツプ等の処理を実行する。
フレームメモリ（ＦＭ）２４は、フレームメモリコントローラ（ＦＭＣ）２５で制御されて動作することにより、このプロセス回路２３から出力される画像データを一時格納して保持する。
【００２２】
アダプタ６は、このフレームメモリ２４に保持された画像データをデイジタルアナログ変換回路（Ｄ／Ａ）に与え、ここでアナログ信号に変換した後、エンコーダ２７に出力する。
ここでエンコーダ２７は、デイジタルアナログ変換回路２６の出力信号を所定のマトリツク回路で加減算処理することにより、コンポーネントのビデオ信号ＳＶを生成して出力し、またこのコンポーネントのビデオ信号からクロマ信号を生成して輝度信号と加算することにより、コンポジツトのビデオ信号ＳＶを生成して出力する。
【００２３】
これにより電子スチルカメラ２は、モニタ装置７を介して撮影対象をモニタし得るようになされ、また撮影直後の撮影結果、さらには所望の記録媒体に記録した撮影結果をモニタし得るようになされている。
【００２４】
すなわち通常の撮影モードにおいて、ユーザが所定の操作子を押圧操作すると、電子スチルカメラ２は、押圧操作のタイミングに応動してフレームメモリ２４に格納した画像データＲＡＷをハイクオリテイ処理回路（ＨＱ）２８に出力する。
ここでハイクオリテイ処理回路２８は、この画像データＲＡＷに基づいて、隣接する画素間で補間処理を実行することにより、フレームメモリ２４を介して取り込んだ画像の視覚上の解像度、色再現性等を改善する。
【００２５】
バツフアメモリ（ＢＭ）２９は、バツフアメモリコントローラ（ＢＭＣ）３０で制御されて動作し、ハイクオリテイ処理回路２８の出力データを一旦保持して出力する。
スクウエアライジング処理回路（ＳＱ）３１は、バツフアメモリ２９に格納された画像データを所定順序で読み出して補間演算処理することにより、撮像素子２０の長方形形状の画素に対応して形成された画像データを、正方形形状の画素に対応する画像データに変換する。
【００２６】
すなわちこの種の撮像素子においては、１つの画素が長方形形状に形成されるのに対し、コンピユータ等の画像処理においては、１つの画素を正方形形状として処理する。
これによりスクウエアライジング処理回路（ＳＱ）３１は、撮像素子２０の出力信号を処理して形成される画像データをコンピユータ等で処理し得るように変換するようになされている。
【００２７】
ところで電子スチルカメラ２において、フレームメモリ２４に入力される画像データは、約1.3 〔ＭＢ〕で１枚の画像を形成し得るのに対し、ハイクオリテイ処理回路２８、スクウエアライジング処理回路３１で画質を向上することにより、スクウエアライジング処理回路３１から出力される画像データは、約5.3 〔ＭＢ〕で１枚の画像を形成する。
従つてこのスクウエアライジング処理回路３１から出力される画像データをそのまま記録媒体に記録したのでは、記録媒体を効率良く使用し得ず、また記録媒体に記録する場合だけでなくコンピユータ等に出力する場合にも転送に時間を要することになる。
【００２８】
このためバツフアメモリ（ＢＭ）３２は、バツフアメモリコントローラ（ＢＭＣ）３３で制御されて動作し、スクウエアライジング処理回路３１の出力データを一旦保持して出力し、圧縮伸長回路（ＣＯＭＰ／ＥＸＴ）３４は、このバツフアメモリ３２の出力データをデータ圧縮して出力する。
これにより電子スチルカメラ２は、１枚の画像の記録再生に要する時間を短縮するようになされ、また所定の記録媒体に大量の画像を記録し得るようになされている。
【００２９】
すなわちカードインターフエース（ＣＡＲＤ  Ｉ／Ｆ）３５は、圧縮伸長回路３４の出力データを所定のコネクタに出力し、これによりこの電子スチルカメラ２は、コネクタに接続されたメモリカード１０又はハードデイスク装置１１（図１）に画像データを記録する。
これに対して光磁気デイスクインターフエース（ＭＯ  Ｉ／Ｆ）３８は、スイツチ回路３７を介して圧縮伸長回路３４の出力データを入力し、この出力データを光磁気デイスク装置１２に出力する。
【００３０】
これにより電子スチルカメラ２は、1.3 〔ＭＢ〕の画像データで形成される１枚の画像に対して、20〔ＭＢ〕のメモリカード１０を接続してこのメモリカード１０に15枚の画像を記録し得るようになされ、またこれに加えて例えば113 〔ＭＢ〕の光磁気デイスク装置１２を接続してさらに86枚の画像を記録し得るようになされている。
【００３１】
これに対してＳＣＳＩ（small computer system interface ）インターフエース（ＳＣＳＩ  Ｉ／Ｆ）３５は、スイツチ回路３７を介して圧縮伸長回路３４の出力データを入力し、この出力データをコンピユータ９に出力する。
さらにユーザが所定の動作モードを選択すると、光磁気デイスク装置１２、メモリカード１０とコンピユータ９との間で画像データを転送し、これにより電子スチルカメラ２は、必要に応じて種々の形態で撮像結果をコンピユータ９に出力し得るようになされ、またコンピユータで処理した画像データを記録し得るようになされている。
【００３２】
これに対して一旦光磁気デイスク装置１２等に記録した画像を再生する再生モードにおいて、電子スチルカメラ２は、記録時とは逆にインターフエース３５、３６、３８を介して各記録媒体、コンピユータ９から画像データを入力し、この画像データを圧縮伸長回路３４に入力する。
ここで圧縮伸長回路３４は、記録時とは逆に画像データをデータ伸長してバツフアメモリ３２に出力するのに対し、スクウエアライジング処理回路３１は、このバツフアメモリ３２に格納された画像データを記録時とは逆に撮像素子２０の長方形形状の画素に対応するように変換する（すなわちリサイズの処理でなる）。
【００３３】
これに対してハイクオリテイ処理回路２８は、再生時、バツフアメモリ２９を介してスクウエアライジング処理回路３１で処理された画像データを平均化処理することにより、記録時とは逆にこの画像データを処理して元の画像データＲＡＷを生成し、この画像データＲＡＷをフレームメモリ２４に格納する。
これにより電子スチルカメラ２は、メモリカード１０等の記録媒体に記録した画像データ、さらにはコンピユータ９で処理した画像データをモニタ装置７でモニタし得るようになされている。
【００３４】
ところでこのようにスクウエアライジング処理回路３１、ハイクオリテイ処理回路２８で処理した画像データをデータ圧縮処理して記録する場合、このデータ圧縮処理により、画質が変化する場合がある。
このためこの実施例において電子スチルカメラ２は、ユーザが所定の動作モードを選択すると、圧縮伸長回路３４の出力データに代えて、バツフアメモリ３２の出力データを直接カードインターフエース３５、スイツチ回路３７に出力する。
【００３５】
これにより電子スチルカメラ２は、データ圧縮前の画像データを直接メモリカード１０等に記録し得るようになされ、またコンピユータ９に出力し得るようになされ、さらにこのようにして記録した画像データをバツフアメモリ３２に転送してモニタし得るようになされている。
【００３６】
これに対してユーザが連写モードを選択して所定の操作子を操作すると、電子スチルカメラ２は、スタテイツクランダムアクセスメモリ（ＳＲＡＭ）で形成されたバツフアメモリ４０を用いて画像データを処理する。
すなわち実験した結果によれば、撮像素子２０で撮像した１枚の画像をフレームメモリ２４に取り込むのに約40〔msec〕の時間を要し、この１枚の画像を処理するのにハイクオリテイ処理回路２８、スクウエアライジング処理回路３１、圧縮伸長回路３４でそれぞれ約150 〔msec〕、約150 〔msec〕、約400 〔msec〕の時間を要した。
【００３７】
これに対して記録媒体に記録する場合、フレームメモリ２４から出力される画像データＲＡＷを直接記録するようにしてメモリカード１０及び光磁気デイスク装置１２においては、それぞれ１枚の画像当たり約1950〔msec〕及び8840〔msec〕の時間を要するのに対し、バツフアメモリ２９の出力データ（約5.3 〔ＭＢ〕でなる）においては、それぞれメモリカード１０及び光磁気デイスク装置１２において１枚の画像当たり約7950〔msec〕及び36040 〔msec〕の時間を要することがわかつた。
これに対して圧縮伸長回路３４でデータ量を１／10に低減した場合でも、電子スチルカメラ２においては、メモリカード１０及び光磁気デイスク装置１２においてこの画像データの記録に約800 〔msec〕及び3600〔msec〕の時間を要することがわかつた。
【００３８】
これにより実際の電子スチルカメラ２においては、画像データの処理過程のうち記録媒体に画像データを記録するのに最も時間を要し、メモリカード１０を使用してフレームメモリ２４の画像データＲＡＷを直接記録する場合でも、約２秒間隔でしか連続して撮影し得ないことがわかつた。
これに対してＳＲＡＭにおいては、1.3 〔ＭＢ〕のデータ量を約330 〔msec〕の時間で記録し得ることにより、フレームメモリ２４の画像データＲＡＷをこのバツフアメモリ４０に取り込むようにすれば、フレームメモリ２４に画像データを取り込む時間を加えて約370 〔msec〕の時間で１枚の画像を記録し得、これにより約１秒間に2.7 枚の画像を撮影することができる。
【００３９】
これにより電子スチルカメラ２においては、連写モードにおいて、フレームメモリ２４の画像データＲＡＷをこのＳＲＡＭで形成されたバツフアメモリ４０に取り込で一時保持することにより、所望の被写体を連写し得るようにする。
かくして電子スチルカメラ２においては、このバツフアメモリ４０の容量を８〔ＭＢ〕に選定して、１秒間で約2.7 枚の画像を連写して6.15枚以上の画像を連続して撮影することができる。
【００４０】
さらにこのとき電子スチルカメラ２は、併せてフレームメモリ２４の画像データＲＡＷをハイクオリテイ処理回路２８等で処理して記録媒体１０、１２等に記録するようになされ、これによりバツフアメモリ４０に取り込で保持するデータ量を低減するようになされ、連続して撮影し得る枚数を増大する。
さらにこのときフレームメモリ２４から出力されるデータ処理前の画像データをバツフアメモリ４０に取り込んで保持することにより、必要に応じてこの種のデータ処理を何ら実行していない画像データをコンピユータ９等に出力し得るようにする。
【００４１】
すなわち図３に示すように、この実施例において、フレームメモリ２４は、連写モードにおいて、40〔msec〕の期間の間、プロセス回路２３から出力される画像データＲＡＷを取り込んだ後（記号ＷＲで表す）、続く330 〔msec〕の期間の間、この取り込んだ画像データＲＡＷを出力するようになされ（記号ＲＤで表す）、この動作を繰り返して370 〔msec〕周期で順次画像を取り込む（図３（Ａ））。
これに対してハイクオリテイ処理回路２８等のデータ処理回路は、始めの１枚目の画像データＲＡＷを取り込んで処理するようになされ、処理した画像データをメモリカード１０に記録する。
【００４２】
これによりメモリカード１０（図３（Ｂ））は、６枚目の画像がフレームメモリから出力されるまでの期間の間、ハイクオリテイ処理回路２８等で処理されたこの１枚目の画像データを記録するようになされている（記号１ＷＲで表す）。
これに対してバツフアメモリ４０（ここで１枚当たりの記録領域を小文字のアルフアベツトで表して示す）は、続く２枚目から６枚目の画像データＲＡＷを対応する記録領域４０ａ〜４０ｅに順次記録し（記号２ＷＲ〜６ＷＲで表す（図３（Ｃ）〜（Ｇ）））、メモリカード１０が１枚目の画像の記録を完了すると、２枚目の画像をハイクオリテイ処理回路２８に出力する（記号２ＲＤで表す）。
【００４３】
これによりバツフアメモリ４０は、フレームメモリ２４を介して所定周期で入力される画像データを順次取り込むと共に、ハイクオリテイ処理回路２８等でデータ処理してメモリカード１０への画像データの記録が完了すると、取り込んだ画像データをハイクオリテイ処理回路２８に転送するようになされ、これにより順次連続して撮影される画像データを処理する。
【００４４】
さらにバツフアメモリ４０は、２枚目の画像データをハイクオリテイ処理回路２８に出力して続く７枚目の画像データがフレームメモリ２４から出力されると、この画像データを記録した後（記号７ＷＲで表す（図３（Ｈ）））、２枚目の画像データを格納した領域に８枚目の画像データを記録する（記号８ＷＲで表す（図３（Ｃ）））。
これにより電子スチルカメラ２においては、バツフアメモリ４０の容量を８〔ＭＢ〕に選定した場合、１秒間で約2.7 枚の画像を連写して８枚以上の画像を連続して撮影することができる。
【００４５】
かくして電子スチルカメラ２は、バツフアメモリ４０の容量で決まる所定枚数だけ画像データを連続して記録すると、連写モードを終了し、一時保持した画像データを順次ハイクオリテイ処理回路２８に出力してデータ処理するようになされ、これにより正規の画像処理を施してメモリカード１０等に記録する。
【００４６】
なおこの実施例において、電子スチルカメラ２は、バツフアメモリ４０に記録した画像データを直接カードインターフエース３５、スイツチ回路３７との間で入出力し得るようになされ、ユーザが所定の動作モードを選択すると、フレームメモリ２４の画像データＲＡＷを直接記録再生し、また入出力し得るようになされ、これによりユーザの所望する形式で画像データを記録再生し、またコンピユータ９との間で入出力し得るようになされている。
これにより電子スチルカメラ２は、連写モードで使用するバツフアメモリ４０を連写モード以外の場合にも利用して使い勝手を向上し得るようになされている。
【００４７】
（２）実施例の効果
以上の構成によれば、フレームメモリ２４に取り込んだ画像データをＳＲＡＭで形成されたバツフアメモリに一時保持することにより、大容量の記録媒体を用いて所望の被写体を連写することができる。
さらにこのときフレームメモリ２４に取り込んだデータ処理前の画像データを直接バツフアメモリに取り込んで保持することにより、必要に応じてコンピユータ９等にこの画像データを直接出力してこの種の電子スチルカメラの使い勝手を向上し得、また連写時、同時並列的にハイクオリテイ処理回路２８等でデータ処理してメモリカード１０等に記録して、多くの枚数の画像を連写することができる。
【００４８】
（３）他の実施例
なお上述の実施例においては、メモリカード、ハードデイスク装置、光磁気デイスク装置に画像データを記録する場合について述べたが、本発明はこれに限らず、必要に応じて種々の記録媒体に記録する場合に、さらにはデータ転送速度の遅い種々の外部装置に画像データを転送する場合に広く適用することができる。
【００４９】
さらに上述の実施例においては、８〔ＭＢ〕のバツフアメモリを使用する場合について述べたが、本発明はこれに限らず、必要に応じて種々の容量のメモリを広く適用することができ、このバツフアメモリの容量を増大して連写し得る枚数を増大することができる。
【００５０】
【発明の効果】
上述のように本発明によれば、被写体の画像を撮像して得られる撮像結果を画像データに変換した後、当該画像データを順次取り込んでバツフアメモリに一時格納しておき、ユーザが所望する動作モードに応じて、バツフアメモリに蓄積された画像データを順次読み出してそのまま出力するか、又はバツフアメモリに画像データを順次取り込む間に、当該バツフアメモリから以前に蓄積された画像データを順次読み出して圧縮を含む処理を行つた後に出力するかを選択することができ、この結果、圧縮処理をする場合には当該圧縮処理に要する時間を効率良く解消しながら多くの枚数の画像を連写することができ、かくして大容量の記録手段を接続して連写することができる電子スチルカメラ及び画像データ処理方法を実現できる。
【図面の簡単な説明】
【図１】本発明の一実施例による電子スチルカメラシステムを示す略線図である。
【図２】その電子スチルカメラを示すブロツク図である。
【図３】その動作の説明に供する信号波形図である。
【符号の説明】
１……電子スチルカメラシステム、２……電子スチルカメラ、１０……メモリカード、１１……ハードデイスク装置、１２……光磁気デイスク装置、２０……撮像素子、２４……フレームメモリ、２８……ハイクオリテイ処理回路、２９、３２、４０……バツフアメモリ、３１……スクウエアライジング処理回路、３４……圧縮伸長回路、３５、３６、３８……インターフエース。
【図１】
0003764493.tif 000002
【図２】
0003764493.tif 000003
【図３】
0003764493.tif 000004